(57)【要約】      （修正有）【課題】溝状冷却水流路のシリンダボア側の壁面への密着性が高く、溝状冷却水流路内で位置ずれを起こし難く、製造が簡便な保温具を提供すること。【解決手段】合成樹脂製であり、保温具の設置位置の溝状冷却水流路の形状に沿う形状を有し、シリンダボア壁の保温部位３６ａに対向する位置に、背面側に配設されている感熱膨張ゴム３５が、感熱膨張時に基体部材３４ａを通り抜けるための感熱膨張ゴム膨出用開口３３が形成されている基体部材と、基体部材の背面側に配設され、感熱膨張ゴム膨出用開口を覆う感熱膨張ゴムと、感熱膨張ゴムの背面側を覆い、基体部材に固定され、基体部材との間で、感熱膨張ゴムの外縁部を挟み込むことにより、感熱膨張ゴムを該基体部材に固定する背面金属板３１とを有し、背面金属板には、感熱膨張後の該感熱膨張ゴムをシリンダボア壁に向かって付勢するための付勢部材３２が付設されている。【選択図】図５
2018084145.tif 000002
【特許請求の範囲】
【請求項１】
シリンダボアを有する内燃機関のシリンダブロックの溝状冷却水流路に設置され、全シリンダボアのボア壁の全部又は全シリンダボアのボア壁のうちの一部を保温するための保温具であり、
合成樹脂製であり、該保温具の設置位置の該溝状冷却水流路の形状に沿う形状を有し、シリンダボア壁の保温部位に対向する位置に、背面側に配設されている感熱膨張ゴムが、感熱膨張時に基体部材を通り抜けるための感熱膨張ゴム膨出用開口が形成されている基体部材と、
該基体部材の背面側に配設され、該感熱膨張ゴム膨出用開口を覆う感熱膨張ゴムと、
該感熱膨張ゴムの背面側を覆い、該基体部材に固定され、該基体部材との間で、該感熱膨張ゴムの外縁部を挟み込むことにより、該感熱膨張ゴムを該基体部材に固定する背面金属板と、
を有し、
該背面金属板には、感熱膨張後の該感熱膨張ゴムをシリンダボア壁に向かって付勢するための付勢部材が付設されていること、
を特徴とするシリンダボア壁の保温具。
【請求項２】
シリンダボアを有する内燃機関のシリンダブロックの溝状冷却水流路に設置され、全シリンダボアのボア壁の全部又は全シリンダボアのボア壁のうちの一部を保温するための保温具であり、
合成樹脂製であり、該保温具の設置位置の該溝状冷却水流路の形状に沿う形状を有し、シリンダボア壁の保温部位に対向する位置に、背面側に配設されている感熱膨張ゴムが、感熱膨張時に基体部材を通り抜けるための感熱膨張ゴム膨出用開口が形成されている基体部材と、
該基体部材の背面側に配設され、該感熱膨張ゴム膨出用開口を覆う感熱膨張ゴムと、
該感熱膨張ゴムの背面側を覆い、該基体部材に固定され、該基体部材との間で、該感熱膨張ゴムの外縁部を挟み込むことにより、該感熱膨張ゴムを該基体部材に固定する背面金属板と、
を有し、
該基体部材の背面側には、該基体部材の背面から突出し、シリンダボア壁の対壁に当接するための当接部材が付設されていること、
を特徴とするシリンダボア壁の保温具。
【請求項３】
前記感熱膨張ゴムが、ベースフォーム材と、熱可塑性物質と、からなり、該ベースフォーム材が、シリコンゴム、フッ素ゴム、天然ゴム、ブタジエンゴム、エチレンプロピレンジエンゴム又はニトリルブタジエンゴムであり、該熱可塑性物質が、樹脂又は金属材料であることを特徴とする請求項１又は２いずれか１項記載のシリンダボア壁の保温具。
【請求項４】
溝状冷却水流路が形成されているシリンダブロックを有し、
該溝状冷却水流路内に、請求項１〜３いずれか１項記載のシリンダボア壁の保温具が設置されていること、
を特徴とする内燃機関。
【請求項５】
請求項４記載の内燃機関を有することを特徴とする自動車。
【発明の詳細な説明】
【技術分野】
【０００１】
本発明は、内燃機関のシリンダブロックのシリンダボア壁の溝状冷却水流路側の壁面に接触させて配置される保温具及びそれを備える内燃機関並びに該内燃機関を有する自動車に関する。
【背景技術】
【０００２】
内燃機関では、ボア内のピストンの上死点で燃料の爆発が起こり、その爆発によりピストンが押し下げられるという構造上、シリンダボア壁の上側は温度が高くなり、下側は温度が低くなる。そのため、シリンダボア壁の上側と下側では、熱変形量に違いが生じ、上側は大きく膨張し、一方、下側の膨張が小さくなる。
【０００３】
その結果、ピストンのシリンダボア壁との摩擦抵抗が大きくなり、これが、燃費を下げる要因となっているので、シリンダボア壁の上側と下側とで熱変形量の違いを少なくすることが求められている。
【０００４】
そこで、従来より、シリンダボア壁の壁温を均一にするために、溝状冷却水流路内にスペーサーを設置し、溝状冷却水流路内の冷却水の水流を調節して、冷却水によるシリンダボア壁の上側の冷却効率と及び下側の冷却効率を制御することが試みられてきた。例えば、特許文献１には、内燃機関のシリンダブロックに形成された溝状冷却用熱媒体流路内に配置されることで溝状冷却用熱媒体流路内を複数の流路に区画する流路区画部材であって、前記溝状冷却用熱媒体流路の深さに満たない高さに形成され、前記溝状冷却用熱媒体流路内をボア側流路と反ボア側流路とに分割する壁部となる流路分割部材と、前記流路分割部材から前記溝状冷却用熱媒体流路の開口部方向に向けて形成され、かつ先端縁部が前記溝状冷却用熱媒体流路の一方の内面を越えた形に可撓性材料で形成されていることにより、前記溝状冷却用熱媒体流路内への挿入完了後は自身の撓み復元力により前記先端縁部が前記内面に対して前記溝状冷却用熱媒体流路の深さ方向の中間位置にて接触することで前記ボア側流路と前記反ボア側流路とを分離する可撓性リップ部材と、を備えたことを特徴とする内燃機関冷却用熱媒体流路区画部材が開示されている。
【先行技術文献】
【特許文献】
【０００５】
【特許文献１】特開２００８−３１９３９号公報（特許請求の範囲）
【発明の開示】
【発明が解決しようとする課題】
【０００６】
ところが、引用文献１の内燃機関冷却用熱媒体流路区画部材によれば、ある程度のシリンダボア壁の壁温の均一化が図れるので、シリンダボア壁の上側と下側との熱変形量の違いを少なくすることができるものの、近年、更に、シリンダボア壁の上側と下側とで熱変形量の違いを少なくすることが求められている。
【０００７】
そのようなことから、近年は、シリンダブロックの溝状冷却水流路の中下部のシリンダボア側の壁面を保温具で積極的に保温することにより、シリンダボア壁の壁温の均一化が図られている。そして、溝状冷却水流路の中下部のシリンダボア側の壁面を効果的に保温するためには、保温具の溝状冷却水流路の中下部のシリンダボア側の壁面への密着性が高いことが求められている。
【０００８】
また、近年は、シリンダボア側の壁面のうち、特定の部分を選択的に保温したいとの要求が高まっている。そのような要求に対しては、シリンダボア側の壁面の周方向の全部を保温する全周タイプの保温具ではなく、周方向の一部を保温する部分タイプの保温具が必要となる。ところが、部分タイプの保温具は、全周タイプの保温具に比べ、溝状冷却水流路内で位置ずれを起こし易いという問題がある。また、全周タイプの保温具も、部分タイプに比べれば、位置ずれを起こし難いものの、全く位置ずれを起こさないわけではない。
【０００９】
従って、本発明の課題は、溝状冷却水流路のシリンダボア側の壁面への密着性が高く、溝状冷却水流路内で位置ずれを起こし難い保温具を提供することにある。
【課題を解決するための手段】
【００１０】
上記課題は、以下の本発明により解決される。すなわち、本発明（１）は、シリンダボアを有する内燃機関のシリンダブロックの溝状冷却水流路に設置され、全シリンダボアのボア壁の全部又は全シリンダボアのボア壁のうちの一部を保温するための保温具であり、
合成樹脂製であり、該保温具の設置位置の該溝状冷却水流路の形状に沿う形状を有し、シリンダボア壁の保温部位に対向する位置に、背面側に配設されている感熱膨張ゴムが、感熱膨張時に基体部材を通り抜けるための感熱膨張ゴム膨出用開口が形成されている基体部材と、
該基体部材の背面側に配設され、該感熱膨張ゴム膨出用開口を覆う感熱膨張ゴムと、
該感熱膨張ゴムの背面側を覆い、該基体部材に固定され、該基体部材との間で、該感熱膨張ゴムの外縁部を挟み込むことにより、該感熱膨張ゴムを該基体部材に固定する背面金属板と、
を有し、
該背面金属板には、感熱膨張後の該感熱膨張ゴムをシリンダボア壁に向かって付勢するための付勢部材が付設されていること、
を特徴とするシリンダボア壁の保温具を提供するものである。
【００１１】
また、本発明（２）は、シリンダボアを有する内燃機関のシリンダブロックの溝状冷却水流路に設置され、全シリンダボアのボア壁の全部又は全シリンダボアのボア壁のうちの一部を保温するための保温具であり、
合成樹脂製であり、該保温具の設置位置の該溝状冷却水流路の形状に沿う形状を有し、シリンダボア壁の保温部位に対向する位置に、背面側に配設されている感熱膨張ゴムが、感熱膨張時に基体部材を通り抜けるための感熱膨張ゴム膨出用開口が形成されている基体部材と、
該基体部材の背面側に配設され、該感熱膨張ゴム膨出用開口を覆う感熱膨張ゴムと、
該感熱膨張ゴムの背面側を覆い、該基体部材に固定され、該基体部材との間で、該感熱膨張ゴムの外縁部を挟み込むことにより、該感熱膨張ゴムを該基体部材に固定する背面金属板と、
を有し、
該基体部材の背面側には、該基体部材の背面から突出し、シリンダボア壁の対壁に当接するための当接部材が付設されていること、
を特徴とするシリンダボア壁の保温具を提供するものである。
【００１２】
また、本発明（３）は、前記感熱膨張ゴムが、ベースフォーム材と、熱可塑性物質と、からなり、該ベースフォーム材が、シリコンゴム、フッ素ゴム、天然ゴム、ブタジエンゴム、エチレンプロピレンジエンゴム又はニトリルブタジエンゴムであり、該熱可塑性物質が、樹脂又は金属材料であることを特徴とする請求項（１）又は（２）いずれかのシリンダボア壁の保温具を提供するものである。
【００１３】
また、本発明（４）は、溝状冷却水流路が形成されているシリンダブロックを有し、
該溝状冷却水流路内に、（１）〜（３）いずれかのシリンダボア壁の保温具が設置されていること、
を特徴とする内燃機関を提供するものである。
【００１４】
また、本発明（５）は、（４）の内燃機関を有することを特徴とする自動車を提供するものである。
【発明の効果】
【００１５】
本発明によれば、溝状冷却水流路のシリンダボア側の壁面への密着性が高く、溝状冷却水流路内で位置ずれを起こし難い保温具を提供することができる。
【図面の簡単な説明】
【００１６】
【図１】本発明のシリンダボア壁の保温具が設置されるシリンダブロックの形態例を示す模式的な平面図である。
【図２】図１のｘ−ｘ線断面図である。
【図３】図１に示すシリンダブロックの斜視図である。
【図４】本発明のシリンダボア壁の保温具が設置されるシリンダブロックの形態例を示す模式的な平面図である。
【図５】本発明のシリンダボア壁の保温具の形態例を示す模式的な斜視図である。
【図６】図５に示すシリンダボア壁の保温具３６ａを上側から見た平面図である。
【図７】図５に示すシリンダボア壁の保温具３６ａを内側から見た側面図である。
【図８】図５に示すシリンダボア壁の保温具３６ａを背面側から見た側面図である。
【図９】図７のｙ−ｙ線断面図である。
【図１０】図５中のシリンダボア壁の保温具３６ａの各部材の位置関係を示す図である。
【図１１】図５に示すシリンダボア壁の保温具３６ａを組み立てる様子を示す図である。
【図１２】図１に示すシリンダブロック１１に、シリンダボア壁の保温具３６ａが挿入される様子を示す模式図である。
【図１３】図１に示すシリンダブロック１１の溝状冷却水流路１４内に、シリンダボア壁の保温具３６ａを設置した後且つ感熱膨張ゴムが膨張する前の様子を示す模式図である。
【図１４】図１に示すシリンダブロック１１に、シリンダボア壁の保温具３６ａが設置されている様子を示す模式図である。
【図１５】溝状冷却水流路１４内で感熱膨張ゴム３５が膨張する様子を示す拡大断面図である。
【図１６】本発明のシリンダボア壁の保温具の形態例を示す模式図である。
【図１７】本発明のシリンダボア壁の保温具の形態例を示す模式図である。
【図１８】本発明のシリンダボア壁の保温具の形態例を示す模式的な斜視図である。
【図１９】図１８に示すシリンダボア壁の保温具３６ｄを上側から見た平面図である。
【図２０】図１８に示すシリンダボア壁の保温具３６ｄを内側から見た側面図である。
【図２１】図１８に示すシリンダボア壁の保温具３６ｄを背面側から見た側面図である。
【図２２】図２０のｙ−ｙ線断面図である。
【図２３】図１８中のシリンダボア壁の保温具３６ｄの各部材の位置関係を示す図である。
【図２４】図１８に示すシリンダボア壁の保温具３６ｄを組み立てる様子を示す図である。
【図２５】図１に示すシリンダブロック１１に、シリンダボア壁の保温具３６ｄが挿入される様子を示す模式図である。
【図２６】図１に示すシリンダブロック１１の溝状冷却水流路１４内に、シリンダボア壁の保温具３６ｄを設置した後且つ感熱膨張ゴムが膨張する前の様子を示す模式図である。
【図２７】図１に示すシリンダブロック１１に、シリンダボア壁の保温具３６ｄが設置されている様子を示す模式図である。
【図２８】溝状冷却水流路１４内で感熱膨張ゴム３５が膨張する様子を示す拡大断面図である。
【図２９】本発明のシリンダボア壁の保温具の形態例を示す模式図である。
【図３０】本発明のシリンダボア壁の保温具の形態例を示す模式図である。
【発明を実施するための形態】
【００１７】
本発明の第一の形態のシリンダボア壁の保温具及び本発明の内燃機関について、図１〜図１５を参照して説明する。図１〜図４は、本発明の第一の形態のシリンダボア壁の保温具が設置されるシリンダブロックの形態例を示すものであり、図１及び図４は、本発明の第一の形態のシリンダボア壁の保温具が設置されるシリンダブロックを示す模式的な平面図であり、図２は、図１のｘ−ｘ線断面図であり、図３は、図１に示すシリンダブロックの斜視図である。図５は、本発明の第一の形態のシリンダボア壁の保温具の形態例を示す模式的な斜視図である。図６は、図５中の保温具３６ａを上から見た図である。図７は、図５中の保温具３６ａを横から見た図であり、内側から見た図である。図８は、図５中の保温具３６ａを横から見た図であり、背面側から見た図である。図９は、図７のｙ−ｙ線断面図である。図１０は、図５中の保温具３６ａの各部材の位置関係を示す図であり、内側から見た図である。図１１は、図５中の保温具３６ａを組み立てる様子を示す図である。図１２は、図１に示すシリンダブロック１１に、シリンダボア壁の保温具３６ａが挿入される様子を示す模式図である。図１３は、図１に示すシリンダブロック１１の溝状冷却水流路１４内に、シリンダボア壁の保温具３６ａを設置した後且つ感熱膨張ゴムが膨張する前の様子を示す模式図である。図１４は、図１に示すシリンダブロック１１に、シリンダボア壁の保温具３６ａが設置されている様子を示す模式図であり、（Ａ）は、図１３中のｚ−ｚ線端面図であり、感熱膨張ゴムが膨張する前の様子を示す図であり、（Ｂ）は、感熱膨張ゴムが膨張した後の様子を示す図である。図１５は、溝状冷却水流路１４内で感熱膨張ゴム３５が膨張した後の様子を示す拡大断面図である。
【００１８】
図１〜図３に示すように、シリンダボア壁の保温具が設置される車両搭載用内燃機関のオープンデッキ型のシリンダブロック１１には、ピストンが上下するためのボア１２、及び冷却水を流すための溝状冷却水流路１４が形成されている。そして、ボア１２と溝状冷却水流路１４とを区切る壁が、シリンダボア壁１３である。また、シリンダブロック１１には、溝状冷却水流路１１へ冷却水を供給するための冷却水供給口１５及び冷却水を溝状冷却水流路１１から排出するための冷却水排出口１６が形成されている。
【００１９】
このシリンダブロック１１には、２つ以上のボア１２が直列に並ぶように形成されている。そのため、ボア１２には、１つのボアに隣り合っている端ボア１２ａ１、１２ａ２と、２つのボアに挟まれている中間ボア１２ｂ１、１２ｂ２とがある（なお、シリンダブロックのボアの数が２つの場合は、端ボアのみである。）。直列に並んだボアのうち、端ボア１２ａ１、１２ａ２は両端のボアであり、また、中間ボア１２ｂ１、１２ｂ２は、一端の端ボア１２ａ１と他端の端ボア１２ａ２の間にあるボアである。端ボア１２ａ１と中間ボア１２ｂ１の間の壁、中間ボア１２ｂ１と中間ボア１２ｂ２の間の壁及び中間ボア１２ｂ２と端ボア１２ａ２の間の壁（ボア間壁１９１）は、２つのボアに挟まれる部分なので、２つのシリンダボアから熱が伝わるため、他の壁に比べ壁温が高くなる。そのため、溝状冷却水流路１４のシリンダボア側の壁面１７では、ボア間壁１９１の近傍が、温度が最も高くなるので、溝状冷却水流路１４のシリンダボア側の壁面１７のうち、各シリンダボアのボア壁の境界１９２及びその近傍の温度が最も高くなる。
【００２０】
また、本発明では、溝状冷却水流路１４の壁面のうち、シリンダボア１３側の壁面を、溝状冷却水流路のシリンダボア壁１７と記載し、溝状冷却水流路１４の壁面のうち、溝状冷却水流路のシリンダボア壁１７とは反対側の壁面を、シリンダボア壁の対壁１８と記載する。
【００２１】
また、本発明において、片側半分とは、シリンダブロックをシリンダボアが並んでいる方向で垂直に二分割したときの片側の半分を指す。よって、本発明において、全シリンダボアのボア壁のうちの片側半分のボア壁とは、全シリンダボア壁をシリンダボアが並んでいる方向で垂直に二分割したときの片側の半分のボア壁を指す。例えば、図４では、シリンダボアが並んでいる方向がＺ−Ｚ方向であり、このＺ−Ｚ線で垂直に二分割したときの片側半分のボア壁のそれぞれが、全シリンダボアのボア壁のうちの片側半分のボア壁である。つまり、図４では、Ｚ−Ｚ線より２０ａ側の片側半分のボア壁が、全シリンダボアのボア壁のうちの一方の片側半分のボア壁２１ａであり、Ｚ−Ｚ線より２０ｂ側の片側半分のボア壁が、全シリンダボアのボア壁のうちの他方の片側半分のボア壁２１ｂである。また、全シリンダボア壁のうちの片側とは、片側半分のボア壁２１ａ又は片側半分のボア壁２１ｂのいずれかを指し、片側の一部とは、片側半分のボア壁２１ａの一部又は片側半分のボア壁２１ｂの一部を指す。
【００２２】
また、本発明において、各シリンダボアのボア壁とは、１つ１つのシリンダボアに対応する各ボア壁部分を指し、図４では、両矢印２２ａ１で示す範囲が、シリンダボア１２ａ１のボア壁２３ａ１であり、両矢印２２ｂ１で示す範囲が、シリンダボア１２ｂ１のボア壁２３ｂ１であり、両矢印２２ｂ２で示す範囲が、シリンダボア１２ｂ２のボア壁２３ｂ２であり、両矢印２２ａ２で示す範囲が、シリンダボア１２ａ２のボア壁２３ａ２であり、両矢印２２ｂ３で示す範囲が、シリンダボア１２ｂ１のボア壁２３ｂ３であり、両矢印２２ｂ４で示す範囲が、シリンダボア１２ｂ２のボア壁２３ｂ４である。つまり、シリンダボア１２ａ１のボア壁２３ａ１、シリンダボア１２ｂ１のボア壁２３ｂ１、シリンダボア１２ｂ２のボア壁２３ｂ２、シリンダボア１２ａ２のボア壁２３ａ２、シリンダボア１２ｂ１のボア壁２３ｂ３及びシリンダボア１２ｂ２のボア壁２３ｂ４が、それぞれ、各シリンダボアのボア壁である。
【００２３】
図５に示すシリンダボア壁の保温具３６ａは、図４中、一方の片側半分（２０ｂ側）のボア壁２１ｂを保温するための保温具である。シリンダボア壁の保温具３６ａには、冷却水流れ仕切り部材４５が付設されている。冷却水流れ仕切り部材４５は、図４に示すシリンダブロック１１では、冷却水供給口１５から溝状冷却水流路１４へ供給された冷却水が、直ぐに近傍にある冷却水排出口１６から排出されることなく、先ず、２０ｂ側の片側半分の溝状冷却水流路１４を、冷却水供給口１５の位置とは反対側の端に向かって流れ、２０ｂ側の片側半分の溝状冷却水流路１４の冷却水供給口１５の位置とは反対側の端まで来ると、２０ａ側の片側半分の溝状冷却水流路１４に回り、次いで、２０ａ側の片側半分の溝状冷却水流路１４を、冷却水排出口１６に向かって流れ、最後に、冷却水排出口１６から排出されるように、冷却水の供給口１５と排出口１６との間を仕切るための部材である。また、図４には、２０ａ側の片側半分の溝状冷却水流路１４を端まで流れた冷却水が、シリンダブロック１１の横側に形成されている冷却水排出口１６から排出される形態のシリンダブロックを記載したが、他には、例えば、２０ａ側の片側半分の溝状冷却水流路１４を一方の端から他方の端まで流れた冷却水が、シリンダブロックの横側から排出されるのではなく、シリンダヘッドに形成されている冷却水流路に流れ込む形態のシリンダブロックがある。
【００２４】
図５〜図９に示すように、シリンダボア壁の保温具３６ａは、合成樹脂の成形体であり、上から見たときに、４つの円弧が連続する形状に成形されており、溝状冷却水流路１４の片側半分に沿う形状である基体部材３４ａと、感熱膨張ゴム３５と、金属板の成形体である背面金属板３１と、を有する。
【００２５】
基体部材３４ａには、基体部材３４ａの背面側に配設されている感熱膨張ゴム３５が、感熱膨張時に基体部材を通り抜けて、基体部材３４ａの内側面より内側に膨出することができるようにするための感熱膨張ゴム膨出用開口３３が、各ボア部毎に形成されている。シリンダボア壁の保温具３６ａは、図４に示すシリンダブロック１１の片側半分のボア壁２１ｂを保温するための保温具であり、シリンダブロック１１の片側半分のボア壁２１ｂには、シリンダボア１２ａ１のボア壁２３ａ１、シリンダボア１２ｂ１のボア壁２３ｂ３、シリンダボア１２ｂ２のボア壁２３ｂ４及びシリンダボア１２ａ２のボア壁２３ａ２と、４つの各シリンダボアのボア壁がある。そして、シリンダボア壁の保温具３６ａでは、この４つの各シリンダボアのボア壁を保温するために、感熱膨張ゴム３５が配設される。そのため、シリンダボア壁の保温具３６ａには、保温対象であるシリンダボア１２ａ１のボア壁２３ａ１、シリンダボア１２ｂ１のボア壁２３ｂ３、シリンダボア１２ｂ２のボア壁２３ｂ４及びシリンダボア１２ａ２のボア壁２３ａ２のそれぞれに対応する位置に、感熱膨張ゴム膨出用開口３３が形成されている。
【００２６】
図１０では、基体部材３４ａの背面側にある感熱膨張ゴム３５の輪郭を符号４２の点線で示し、背面金属板３１を符号４１の点線で示すが、図１０に示すように、感熱膨張ゴム３５が、感熱膨張ゴム膨出用開口３３を背面側から覆っており、且つ、背面金属板３１が、感熱膨張ゴム３５を背面側から覆っている。そのため、シリンダボア壁の保温具３６ａでは、背面金属板３１が固定され、基体部材３４に固定された背面金属板３１と、基体部材３４ａの感熱膨張ゴム膨出用開口３３の周縁部４６とで、感熱膨張ゴム３５の外縁部４０が挟み込まれることにより、感熱膨張ゴム３５が基体部材３４ａに固定されている。
【００２７】
感熱膨張ゴム３５は、膨張前は、ベースフォーム材が熱可塑性物質により圧縮されて拘束された状態であり、加熱されることにより、熱可塑性樹脂による拘束が解け、圧縮される前の状態、すなわち、開放状態まで膨張するゴム材である。感熱膨張ゴム３５は、基体部材３４ａの背面側に配設され、感熱膨張ゴム膨出用開口３３を覆っている、この感熱膨張ゴム３５は、シリンダブロック１１の溝状冷却水流路１４に設置された後、加熱されることにより膨張し、加熱により膨張（感熱膨張）することにより、感熱膨張ゴム膨出用開口３３を通り抜けて、基体部材３４ａの内側面より内側に膨出し、接触面２６が溝状冷却水流路１４のシリンダボア壁に接触するまで膨張する。そして、感熱膨張して、感熱膨張ゴム３５が、溝状冷却水流路１４のシリンダボア壁１７の壁面を覆うことにより、溝状冷却水流路１４のシリンダボア壁１７が保温される。感熱膨張ゴム３５は、その外縁部４０が、基体部材３４ａの感熱膨張ゴム膨出用開口３３の周縁部４６と背面金属板３１とに挟み込まれることにより、基体部材３４ａに固定される。また、感熱膨張ゴム３５が基体部材３４ａに固定されることにより、溝状冷却水流路１４内での感熱膨張ゴム３５の位置が位置決めされる。
【００２８】
シリンダボア壁の保温具３６ａでは、感熱膨張ゴム３５の背面側は、背面金属板３１で覆われている。そして、感熱膨張ゴム３５の背面側が、背面金属板３１で覆われていることにより、感熱膨張ゴム３５がシリンダボア壁の対壁１８に向けて膨張することが妨げられる。
【００２９】
シリンダボア壁の保温具３６ａでは、背面金属板３１には、付勢部材３２が付設されている。シリンダボア壁の保温具３６ａでは、背面金属板３１の両方の横側に、金属板バネが形成されており、この金属板バネが折り曲げられることにより、付勢部材３２が形成されている。そして、シリンダボア壁の保温具３６ａがシリンダブロック１１の溝状冷却水流路１４に設置され、感熱膨張ゴム３５が感熱膨張して、付勢部材３２が、溝状冷却水流路１４のシリンダボア壁の対壁１８に接触し且つ弾性変形することにより、付勢部材３２の付勢力が生じ、その付勢直により、感熱膨張ゴム３５が、背面側から溝状冷却水流路１４のシリンダボア壁１７に向かって押し付けられる。このことにより、感熱膨張ゴム３５の接触面２６が、溝状冷却水流路１４のシリンダボア壁１７に密着する。
【００３０】
シリンダボア壁の保温部３６ａでは、基体部材３４ａの上には、基体部材３４ａから上に向けて、押え部材３９が立設されている。シリンダボア壁の保温部３６ａが溝状冷却水流路１４内に設置されると、押え部材３９の上端が、シリンダヘッド又はシリンダヘッドガスケットに接する。このことにより、溝状冷却水流路１４内でのシリンダボア壁の保温部３６ａの上下方向の移動が制限される。
【００３１】
シリンダボア壁の保温具３６ａは、例えば、図１に示すシリンダブロック１１の溝状冷却水流路１４に設置される。図１２に示すように、シリンダボア壁の保温具３６ａを、シリンダブロック１１の溝状冷却水流路１４に挿入して、図１３に示すように、シリンダボア壁の保温具３６ａを、溝状冷却水流路１４内に設置する。シリンダボア壁の保温具３６ａを、溝状冷却水流路１４に挿入するときには、未だ、感熱膨張ゴム３５は、膨張していないので、シリンダボア壁の保温具３６ａの幅は、溝状冷却水流路１４の流路幅より小さい。そのため、シリンダボア壁の保温具３６ａを、溝状冷却水流路１４内に挿入するときには、大きな抵抗なく、シリンダボア壁の保温具３６ａを、溝状冷却水流路１４に設置することができる。
【００３２】
そして、シリンダボア壁の保温具３６ａが、溝状冷却水流路１４に設置された後、加熱前は、図１４（Ａ）に示すように、シリンダボア壁の保温具３６ａとシリンダボア壁１７の間には、隙間３０１が存在するが、図１４（Ｂ）に示すように、感熱膨張ゴムが加熱されると、感熱膨張ゴム３５は、シリンダボア壁１７に接触するまで膨張する。このとき、付勢部材３２が弾性変形し、付勢部材３２の付勢力が生じ、その付勢力により、背面金属板３１が、感熱膨張ゴム３５を背面側からシリンダボア壁１７に向かって押し付ける。
【００３３】
シリンダボア壁の保温具３６ａは、例えば、図１１に示すように、感熱膨張ゴム膨出用開口３３が形成されている基体部材３４ａと、感熱膨張ゴム膨出用開口３３を覆う形状に成形されている感熱膨張ゴム３５と、上側及び下側に折り曲げ部３７が形成され、右側及び左側に嵌合口３８及び板バネ部３２が形成されている背面金属板３１と、を用意し、次いで、基体部材３４ａに、感熱膨張ゴム３５及び背面金属板３１を順に重ね、次いで、背面金属板３１の嵌合口３８を、基体部材３４ａの背面側に形成されている嵌合突起４４に嵌め合わせると共に、背面金属板３１の折り曲げ部３７を折り曲げて、背面金属板３１を基体部材３４ａに固定することにより作製される。なお、本発明のシリンダボア壁の保温具は、上記に示す方法により製造されるものに限定されるものではない。
【００３４】
本発明の第一の形態のシリンダボア壁の保温具は、シリンダボアを有する内燃機関のシリンダブロックの溝状冷却水流路に設置され、全シリンダボアのボア壁の全部又は全シリンダボアのボア壁のうちの一部を保温するための保温具であり、
合成樹脂製であり、該保温具の設置位置の該溝状冷却水流路の形状に沿う形状を有し、シリンダボア壁の保温部位に対向する位置に、背面側に配設されている感熱膨張ゴムが、感熱膨張時に基体部材を通り抜けるための感熱膨張ゴム膨出用開口が形成されている基体部材と、
該基体部材の背面側に配設され、該感熱膨張ゴム膨出用開口を覆う感熱膨張ゴムと
該感熱膨張ゴムの背面側を覆い、該基体部材に固定され、該基体部材との間で、該感熱膨張ゴムの外縁部を挟み込むことにより、該感熱膨張ゴムを該基体部材に固定する背面金属板と、
を有し、
該背面金属板には、感熱膨張後の該感熱膨張ゴムをシリンダボア壁に向かって付勢するための付勢部材が付設されていること、
を特徴とするシリンダボア壁の保温具である。
【００３５】
本発明の第一の形態のシリンダボア壁の保温具は、内燃機関のシリンダブロックの溝状冷却水流路に設置される。本発明の第一の形態のシリンダボア壁の保温具が設置されるシリンダブロックは、シリンダボアが直列に２つ以上並んで形成されているオープンデッキ型のシリンダブロックである。シリンダブロックが、シリンダボアが直列に２つ並んで形成されているオープンデッキ型のシリンダブロックの場合、シリンダブロックは、２つの端ボアからなるシリンダボアを有している。また、シリンダブロックが、シリンダボアが直列に３つ以上並んで形成されているオープンデッキ型のシリンダブロックの場合、シリンダブロックは、２つの端ボアと１つ以上の中間ボアとからなるシリンダボアを有している。なお、本発明では、直列に並んだシリンダボアのうち、両端のボアを端ボアと呼び、両側が他のシリンダボアで挟まれているボアを中間ボアと呼ぶ。
【００３６】
本発明の第一の形態のシリンダボア壁の保温具が設置される位置は、溝状冷却水流路である。内燃機関の多くでは、シリンダボアの溝状冷却水流路の中下部に相当する位置が、ピストンの速さが速くなる位置なので、この溝状冷却水流路の中下部を保温することが好ましい。図２では、溝状冷却水流路１４の最上部９と最下部８の中間近傍の位置１０を、点線で示しているが、この中間近傍の位置１０から下側の溝状冷却水流路１４の部分を、溝状冷却水流路の中下部と呼ぶ。なお、溝状冷却水流路の中下部とは、溝状冷却水流路の最上部と最下部の丁度中間の位置から下の部分という意味ではなく、最上部と最下部の中間位置の近傍から下の部分という意味である。また、内燃機関の構造によっては、ピストンの速さが速くなる位置が、シリンダボアの溝状冷却水流路の下部に当たる位置である場合もあり、その場合は、溝状冷却水流路の下部を保温することが好ましい。よって、溝状冷却水流路の最下部からどの位置までを本発明の第一の形態のシリンダボア壁の保温具で保温するか、つまり、ゴム部材の上端の位置を溝状冷却水流路の上下方向のどの位置にするかは、適宜選択される。
【００３７】
本発明の第一の形態のシリンダボア壁の保温具は、周方向に見たときに、溝状冷却水流路のシリンダボア側の壁面の全部又は溝状冷却水流路のシリンダボア側の壁面のうちの一部を保温するための保温具である。つまり、本発明の第一の形態のシリンダボア壁の保温具は、周方向に見たときに、全シリンダボアのボア壁の全部又は全シリンダボアのボア壁の一部を保温するための保温具である。本発明のシリンダボア壁の保温具のとしては、例えば、図５に示す形態例のように、全シリンダボアのボア壁のうち片側半分を保温するための保温具、図１６に示す形態例のように、全シリンダボアのボア壁のうち片側の一部を保温するための保温具、図１７に示す形態例のように、全シリンダボアのボア壁の全部を保温するための保温具が挙げられる。なお、本発明において、片側半分又は片側の一部とは、シリンダボア壁又は溝状冷却水流路の周方向の片側半分又は片側の一部との意味である。
【００３８】
本発明の第一の形態のシリンダボア壁の保温具は、基体部材と、感熱膨張ゴムと、背面金属板と、を有する。
【００３９】
本発明の第一の形態のシリンダボア壁の保温具に係る基体部材は、合成樹脂製である。基体部材は、上から見たときに、２以上の円弧が連続する形状を有しており、感熱膨張ゴムにより保温する範囲に亘って、円弧が連続して繋がった形状を有している。つまり、基体部材は、本発明の第一の形態のシリンダボア壁の保温具が設置される溝状冷却水流路の形状に沿う形状に成形された合成樹脂の成形体である。
【００４０】
基体部材は、背面金属板が固定される部材であり、且つ、感熱膨張ゴムを基体部材に固定するために、感熱膨張ゴムの外縁部を、基体部材の感熱膨張ゴム膨出用開口の周縁部と背面金属板との間に挟み込む部材である。つまり、基体部材は、感熱膨張ゴムが固定される部材である。また、基体部材は、感熱膨張後に、感熱膨張ゴムの弾性力と付勢部材の付勢力により、溝状冷却水流路内での基体部材の位置が固定されることにより、溝状冷却水流路内での感熱膨張ゴムの位置決めをする部材である。
【００４１】
基体部材には、基体部材の背面側に配設されている感熱膨張ゴムが、感熱膨張時に基体部材を通り抜けて、基体部材の内側面より内側に膨出し、感熱膨張ゴムの接触面が溝状冷却水流路のシリンダボア壁に接触することができるようにするための感熱膨張ゴム膨出用開口が、各ボア部毎に形成されている。そのため、保温対象となる各シリンダボアのボア壁のそれぞれに対向する位置に、感熱膨張ゴム膨出用開口が形成されている。なお、本発明において、各シリンダボアのボア壁とは、１つ１つのシリンダボアに対応する各ボア壁部分を指す。また、基体部材の各ボア部とは、各シリンダボアのボア壁１つ側の基体部材の部分のことであり、上から見たときの基体部材を形成する円弧形状の１つ分である。
【００４２】
基体部材を形成する合成樹脂は、通常、内燃機関のシリンダブロックの溝状冷却水流路内に設置されるシリンダボア壁の保温具やウォータージャケットスペーサに用いられる合成樹脂であれば、特に制限されず、適宜選択される。
【００４３】
本発明の第一の形態のシリンダボア壁の保温具に係る感熱膨張ゴムは、溝状冷却水流路内で、接触面が溝状冷却水流路のシリンダボア壁に接触するまで感熱膨張して、シリンダボア壁を覆うことにより、シリンダボア壁を保温するための部材である。この感熱膨張ゴムは、感熱膨張ゴム膨出用開口を、基体部材の背面側から覆うことができる形状に成形され、外縁部が、基体部材の感熱膨張ゴム膨出用開口の周縁部と背面金属板との間に挟み込まれて、基体部材に固定されることにより、基体部材の感熱膨張ゴム膨出用開口を背面側から覆うように配設されている。そして、感熱膨張ゴムは、溝状冷却水流路内で、感熱膨張時に、感熱膨張ゴム膨出用開口を、基体部材の背面側から内側に通り抜け、更に、基体部材の内側面よりも内側に膨出して、溝状冷却水流路のシリンダボア壁に接触するまで膨張する。
【００４４】
感熱膨張ゴムは、膨張前は、ベースフォーム材が熱可塑性物質により圧縮されて拘束された状態であり、加熱されることにより、熱可塑性樹脂による拘束が解け、圧縮される前の状態、すなわち、開放状態まで膨張するゴム材である。感熱膨張ゴム（圧縮状態）は、ベースフォーム材にベースフォーム材より融点が低い熱可塑性物質を含浸させ圧縮した複合体であり、常温では少なくともその表層部に存在する熱可塑性物質の硬化物により圧縮状態が保持され、且つ、加熱により熱可塑性物質の硬化物が軟化して圧縮状態が開放される材料である。感熱膨張ゴムとしては、例えば、特開２００４−１４３２６２号公報に記載の感熱膨張ゴムが挙げられる。
【００４５】
感熱膨張ゴムに係るベースフォーム材としては、ゴム、エラストマー、熱可塑性樹脂、熱硬化性樹脂等の各種高分子材料が挙げられ、具体的には、天然ゴム、クロロプロピレンゴム、スチレンブタジエンゴム、ニトリルブタジエンゴム、エチレンプロピレンジエン三元共重合体、シリコーンゴム、フッ素ゴム、アクリルゴム等の各種合成ゴム、軟質ウレタン等の各種エラストマー、硬質ウレタン、フェノール樹脂、メラミン樹脂等の各種熱硬化性樹脂が挙げられる。
【００４６】
感熱膨張ゴムに係る熱可塑性物質としては、ガラス転移点、融点又は軟化温度のいずれかが１２０℃未満であるものが好ましい。感熱膨張ゴムに係る熱可塑性物質としては、ポリエチレン、ポリプロピレン、ポリスチレン、ポリ塩化ビニル、ポリ塩化ビニリデン、ポリ酢酸ビニル、ポリアクリル酸エステル、スチレンブタジエン共重合体、塩素化ポリエチレン、ポリフッ化ビニリデン、エチレン酢酸ビニル共重合体、エチレン酢酸ビニル塩化ビニルアクリル酸エステル共重合体、エチレン酢酸ビニルアクリル酸エステル共重合体、エチレン酢酸ビニル塩化ビニル共重合体、ナイロン、アクリロニトリルブタジエン共重合体、ポリアクリロニトリル、ポリ塩化ビニル、ポリクロロプレン、ポリブタジエン、熱可塑性ポリイミド、ポリアセタール、ポリフェニレンサルファイド、ポリカーボネート、熱可塑性ポリウレタン等の熱可塑性樹脂、低融点ガラスフリット、でんぷん、はんだ、ワックス、鋳鉄、ステンレス、アルミニウムなどの金属材料等の各種熱可塑性物質が挙げられる。
【００４７】
感熱膨張ゴムの厚みは、感熱膨張ゴムの膨張率、溝状冷却水流路の幅、基体部材の内側面とシリンダボア壁との距離、背面金属板の内側面とシリンダボア壁との距離等を考慮して、適宜選択される。
【００４８】
本発明の第一の形態のシリンダボア壁の保温具に係る背面金属板は、金属製であり、金属板の成形体である。背面金属板は、感熱膨張ゴムの背面側を覆っている。背面金属板の形状は、上から見たときに、弧状である。背面金属板は、基体部材の感熱膨張ゴム膨出用開口の周縁部とで、感熱膨張ゴムの外縁部を挟み込むことにより、感熱膨張ゴムを基体部材に固定すると共に、感熱膨張ゴムが基体部材の背面側に膨張するのを妨げる部材である。
【００４９】
背面金属板を形成する金属は、通常、内燃機関のシリンダブロックの溝状冷却水流路内に設置されるシリンダボア壁の保温具やウォータージャケットスペーサに用いられる金属であれば、特に制限されず、適宜選択される。背面金属板の材質としては、例えば、ステンレス鋼（ＳＵＳ）、アルミニウム合金、軟鋼、硬鋼、合金鋼等が挙げられる。
【００５０】
背面金属板を基体部材に固定する方法としては、特に制限されず、例えば、背面金属板に折り曲げ部を形成させ、その折り曲げ部を折り曲げて、折り曲げた折り曲げ部と背面金属板との間で基体部材の端部を挟み込むことにより固定する方法や、背面金属板に嵌合口を形成させ、その嵌合口を基体部材に形成されている嵌合突起に嵌合させることにより固定する方法や、金具により固定する方法や、リベットにより固定する方法や、これらの方法の組み合わせ等が挙げられる。つまり、背面金属板は、背面金属板に形成されている固定用部位を介して、基体部材に固定されている。
【００５１】
本発明の第一の形態のシリンダボア壁の保温具では、背面金属板には、付勢部材が付設されている。付勢部材の形態は、特に制限されず、例えば、板状の付勢部材、コイル状の付勢部材、重ね板バネ、トーションバネ、弾性ゴム等が挙げられる。付勢部材の材質は、特に制限されないが、耐ＬＬＣ性が良く及び強度が高い点で、ステンレス鋼（ＳＵＳ）、アルミニウム合金等が好ましい。付勢部材としては、金属板バネ、コイルバネ、重ね板バネ、トーションバネ等の金属製の付勢部材が好ましい。
【００５２】
付勢部材は、図５に示す形態例では、背面金属板が金属板から加工されるときに、背面金属板を基体部材に固定するための固定用部位（図１１では、符号３７で示す折り曲げ部及び符号３８で示す嵌合口）と共に形成されている金属板バネであるが、本発明ではこれに制限されない。付勢部材としては、金属板から背面金属板に加工されるときに、背面金属板及び固定用部位と共に形成された付勢部材であってもよいし、あるいは、背面金属板とは別に作製され、背面金属板に接着、溶接、カシメなどの物理的な固定等の適宜の付設方法により付設された付勢部材であってもよい。付勢部材の付設位置は、適宜選択される。付勢部材が、金属板を加工して背面金属板を作製するときに、背面金属板と共に加工されて作製された付勢部材であること、すなわち、金属板から背面金属板と共に一体成形された付勢部材であることが、簡便に付勢部材を背面金属板に付設できる点で好ましい。
【００５３】
付設部材の付設位置は、適宜選択され、例えば、背面金属板の右側及び左側、背面金属板の上側及び下側、背面金属板の上側、下側、左側及び右側、それらの位置に加えて、更に、背面金属板の中央又はその近傍等の位置が挙げられる。また、付設部材の付設数は、適宜選択される。
【００５４】
本発明の第一の形態のシリンダボア壁の保温具がシリンダブロックの溝状冷却水流路に設置された後、感熱膨張ゴムが感熱膨張することにより、付勢部材が、溝状冷却水流路のシリンダボア壁の対壁に接触し且つ弾性変形する。そして、付勢部材が弾性変形することで生じる付勢部材の付勢力により、感熱膨張ゴムが、背面側から、背面金属板を介して、溝状冷却水流路のシリンダボア壁に向かって押し付けられる。このことにより、感熱膨張ゴムの接触面が、溝状冷却水流路のシリンダボア壁に密着して、溝状冷却水流路のシリンダボア壁を覆い、シリンダボア壁が保温される。
【００５５】
本発明の第一の形態のシリンダボア壁の保温部は、基体部材の上に、基体部材から上に向けて立設される押え部材を有することができる。押え部材は、本発明の第一の形態のシリンダボア壁の保温部が溝状冷却水流路内に設置されたときに、上端が、シリンダヘッド又はシリンダヘッドガスケットに接することにより、溝状冷却水流路内での本発明のシリンダボア壁の保温部の上下方向の移動を制限する部材である。
【００５６】
本発明の第一の形態のシリンダボア壁の保温具を、溝状冷却水流路に設置するために挿入するときには、未だ、感熱膨張ゴムは、膨張していないので、本発明のシリンダボア壁の保温具の幅は、溝状冷却水流路の流路幅より小さい。そのため、本発明の第一の形態のシリンダボア壁の保温具を、溝状冷却水流路内に挿入するときには、大きな抵抗なく、本発明の第一の形態のシリンダボア壁の保温具を、溝状冷却水流路内に設置することができる。
【００５７】
本発明の第一の形態のシリンダボア壁の保温具は、図５に示す形態例のように、一端側に、冷却水流れ仕切り部材を有することができる。また、本発明の第一の形態のシリンダボア壁の保温具は、その他の冷却水の流れを調節するための部材等を有することもできる。
【００５８】
図５に示すシリンダボア壁の保温具３６ａは、図４に示すシリンダブロック１１の全シリンダボア壁のうちの片側半分のボア壁の保温用の保温具であるが、本発明の第一の形態のシリンダボア壁の保温具としては、図１６に示す形態例のように、全シリンダボア壁のうちの片側の一部のボア壁の保温用の保温具が挙げられる。図１６に示すシリンダボア壁の保温具３６ｂは、図４に示すシリンダブロック１１の片側半分のボア壁２１ａのうちの一部、すなわち、シリンダボア１２ｂ１と１２ｂ２のボア壁の保温用の保温具である。なお、図１６は、本発明の第一の形態のシリンダボア壁の保温具の形態例の模式的な斜視図であり、図１６（Ａ）は内側斜め上から見た斜視図であり、図１６（Ｂ）は背面側斜め上から見た斜視図である。また、本発明の第一の形態のシリンダボア壁の保温具としては、図１７に示す形態例のように、全シリンダボアのボア壁の全部の保温用の保温具が挙げられる。図１７に示すシリンダボア壁の保温具３６ｃは、図４に示すシリンダブロック１１の全シリンダボアのボア壁の全部の保温用の保温具である。つまり、本発明の第一の形態のシリンダボア壁の保温具は、シリンダブロックの全シリンダボアのボア壁の全部の保温用の保温具であってもよいし、シリンダブロックの全シリンダボアのボア壁のうちの一部、例えば、片側半分や片側の一部の保温用の保温具であってもよい。なお、図１７は、本発明の第一の形態のシリンダボア壁の保温具の形態例の模式的な斜視図である。
【００５９】
本発明の第二の形態のシリンダボア壁の保温具及び本発明の内燃機関について、図１〜図４及び図１８〜図２８を参照して説明する。図１〜図４は、本発明の第二の形態のシリンダボア壁の保温具が設置されるシリンダブロックの形態例を示すものである。図１８は、本発明の第二の形態のシリンダボア壁の保温具の形態例を示す模式的な斜視図である。図１９は、図１８中の保温具３６ｄを上から見た図である。図２０は、図１８中の保温具３６ｄを横から見た図であり、内側から見た図である。図２１は、図１８中の保温具３６ｄを横から見た図であり、背面側から見た図である。図２２は、図２０のｙ−ｙ線断面図である。図２１は、図１８中の保温具３６ｄの各部材の位置関係を示す図であり、内側から見た図である。図２４は、図１８中の保温具３６ｄを組み立てる様子を示す図である。図２５は、図１に示すシリンダブロック１１に、シリンダボア壁の保温具３６ｄが挿入される様子を示す模式図である。図２６は、図１に示すシリンダブロック１１の溝状冷却水流路１４内に、シリンダボア壁の保温具３６ｄを設置した後且つ感熱膨張ゴムが膨張する前の様子を示す模式図である。図２７は、図１に示すシリンダブロック１１に、シリンダボア壁の保温具３６ｄが設置されている様子を示す模式図であり、（Ａ）は、図２６中のｚ−ｚ線端面図であり、感熱膨張ゴムが膨張する前の様子を示す図であり、（Ｂ）は、感熱膨張ゴムが膨張した後の様子を示す図である。図２８は、溝状冷却水流路１４内で感熱膨張ゴム３５が膨張した後の様子を示す拡大断面図である。
【００６０】
図１〜図３に示すように、シリンダボア壁の保温具が設置される車両搭載用内燃機関のオープンデッキ型のシリンダブロック１１には、ピストンが上下するためのボア１２、及び冷却水を流すための溝状冷却水流路１４が形成されている。そして、ボア１２と溝状冷却水流路１４とを区切る壁が、シリンダボア壁１３である。また、シリンダブロック１１には、溝状冷却水流路１１へ冷却水を供給するための冷却水供給口１５及び冷却水を溝状冷却水流路１１から排出するための冷却水排出口１６が形成されている。
【００６１】
このシリンダブロック１１には、２つ以上のボア１２が直列に並ぶように形成されている。そのため、ボア１２には、１つのボアに隣り合っている端ボア１２ａ１、１２ａ２と、２つのボアに挟まれている中間ボア１２ｂ１、１２ｂ２とがある（なお、シリンダブロックのボアの数が２つの場合は、端ボアのみである。）。直列に並んだボアのうち、端ボア１２ａ１、１２ａ２は両端のボアであり、また、中間ボア１２ｂ１、１２ｂ２は、一端の端ボア１２ａ１と他端の端ボア１２ａ２の間にあるボアである。端ボア１２ａ１と中間ボア１２ｂ１の間の壁、中間ボア１２ｂ１と中間ボア１２ｂ２の間の壁及び中間ボア１２ｂ２と端ボア１２ａ２の間の壁（ボア間壁１９１）は、２つのボアに挟まれる部分なので、２つのシリンダボアから熱が伝わるため、他の壁に比べ壁温が高くなる。そのため、溝状冷却水流路１４のシリンダボア側の壁面１７では、ボア間壁１９１の近傍が、温度が最も高くなるので、溝状冷却水流路１４のシリンダボア側の壁面１７のうち、各シリンダボアのボア壁の境界１９２及びその近傍の温度が最も高くなる。
【００６２】
また、本発明では、溝状冷却水流路１４の壁面のうち、シリンダボア１３側の壁面を、溝状冷却水流路のシリンダボア壁１７と記載し、溝状冷却水流路１４の壁面のうち、溝状冷却水流路のシリンダボア壁１７とは反対側の壁面を、シリンダボア壁の対壁１８と記載する。
【００６３】
また、本発明において、片側半分とは、シリンダブロックをシリンダボアが並んでいる方向で垂直に二分割したときの片側の半分を指す。よって、本発明において、全シリンダボアのボア壁のうちの片側半分のボア壁とは、全シリンダボア壁をシリンダボアが並んでいる方向で垂直に二分割したときの片側の半分のボア壁を指す。例えば、図４では、シリンダボアが並んでいる方向がＺ−Ｚ方向であり、このＺ−Ｚ線で垂直に二分割したときの片側半分のボア壁のそれぞれが、全シリンダボアのボア壁のうちの片側半分のボア壁である。つまり、図４では、Ｚ−Ｚ線より２０ａ側の片側半分のボア壁が、全シリンダボアのボア壁のうちの一方の片側半分のボア壁２１ａであり、Ｚ−Ｚ線より２０ｂ側の片側半分のボア壁が、全シリンダボアのボア壁のうちの他方の片側半分のボア壁２１ｂである。また、全シリンダボア壁のうちの片側とは、片側半分のボア壁２１ａ又は片側半分のボア壁２１ｂのいずれかを指し、片側の一部とは、片側半分のボア壁２１ａの一部又は片側半分のボア壁２１ｂの一部を指す。
【００６４】
また、本発明において、各シリンダボアのボア壁とは、１つ１つのシリンダボアに対応する各ボア壁部分を指し、図４では、両矢印２２ａ１で示す範囲が、シリンダボア１２ａ１のボア壁２３ａ１であり、両矢印２２ｂ１で示す範囲が、シリンダボア１２ｂ１のボア壁２３ｂ１であり、両矢印２２ｂ２で示す範囲が、シリンダボア１２ｂ２のボア壁２３ｂ２であり、両矢印２２ａ２で示す範囲が、シリンダボア１２ａ２のボア壁２３ａ２であり、両矢印２２ｂ３で示す範囲が、シリンダボア１２ｂ１のボア壁２３ｂ３であり、両矢印２２ｂ４で示す範囲が、シリンダボア１２ｂ２のボア壁２３ｂ４である。つまり、シリンダボア１２ａ１のボア壁２３ａ１、シリンダボア１２ｂ１のボア壁２３ｂ１、シリンダボア１２ｂ２のボア壁２３ｂ２、シリンダボア１２ａ２のボア壁２３ａ２、シリンダボア１２ｂ１のボア壁２３ｂ３及びシリンダボア１２ｂ２のボア壁２３ｂ４が、それぞれ、各シリンダボアのボア壁である。
【００６５】
図１８に示すシリンダボア壁の保温具３６ｄは、図４中、一方の片側半分（２０ｂ側）のボア壁２１ｂを保温するための保温具である。シリンダボア壁の保温具３６ｄには、冷却水流れ仕切り部材４５が付設されている。冷却水流れ仕切り部材４５は、図４に示すシリンダブロック１１では、冷却水供給口１５から溝状冷却水流路１４へ供給された冷却水が、直ぐに近傍にある冷却水排出口１６から排出されることなく、先ず、２０ｂ側の片側半分の溝状冷却水流路１４を、冷却水供給口１５の位置とは反対側の端に向かって流れ、２０ｂ側の片側半分の溝状冷却水流路１４の冷却水供給口１５の位置とは反対側の端まで来ると、２０ａ側の片側半分の溝状冷却水流路１４に回り、次いで、２０ａ側の片側半分の溝状冷却水流路１４を、冷却水排出口１６に向かって流れ、最後に、冷却水排出口１６から排出されるように、冷却水の供給口１５と排出口１６との間を仕切るための部材である。また、図４には、２０ａ側の片側半分の溝状冷却水流路１４を端まで流れた冷却水が、シリンダブロック１１の横側に形成されている冷却水排出口１６から排出される形態のシリンダブロックを記載したが、他には、例えば、２０ａ側の片側半分の溝状冷却水流路１４を一方の端から他方の端まで流れた冷却水が、シリンダブロックの横側から排出されるのではなく、シリンダヘッドに形成されている冷却水流路に流れ込む形態のシリンダブロックがある。
【００６６】
図１８〜図２２に示すように、シリンダボア壁の保温具３６ｄは、合成樹脂の成形体であり、上から見たときに、４つの円弧が連続する形状に成形されており、溝状冷却水流路１４の片側半分に沿う形状である基体部材３４ｂと、感熱膨張ゴム３５と、金属板の成形体である背面金属板３１と、を有する。
【００６７】
基体部材３４ｂには、基体部材３４ｂの背面側に配設されている感熱膨張ゴム３５が、感熱膨張時に基体部材を通り抜けて、基体部材３４ｂの内側面より内側に膨出することができるようにするための感熱膨張ゴム膨出用開口３３が、各ボア部毎に形成されている。シリンダボア壁の保温具３６ｄは、図４に示すシリンダブロック１１の片側半分のボア壁２１ｂを保温するための保温具であり、シリンダブロック１１の片側半分のボア壁２１ｂには、シリンダボア１２ａ１のボア壁２３ａ１、シリンダボア１２ｂ１のボア壁２３ｂ３、シリンダボア１２ｂ２のボア壁２３ｂ４及びシリンダボア１２ａ２のボア壁２３ａ２と、４つの各シリンダボアのボア壁がある。そして、シリンダボア壁の保温具３６ｄでは、この４つの各シリンダボアのボア壁を保温するために、感熱膨張ゴム３５が配設される。そのため、シリンダボア壁の保温具３６ｄには、保温対象であるシリンダボア１２ａ１のボア壁２３ａ１、シリンダボア１２ｂ１のボア壁２３ｂ３、シリンダボア１２ｂ２のボア壁２３ｂ４及びシリンダボア１２ａ２のボア壁２３ａ２のそれぞれに対応する位置に、感熱膨張ゴム膨出用開口３３が形成されている。
【００６８】
図２３では、基体部材３４ｂの背面側にある感熱膨張ゴム３５の輪郭を符号４２の点線で示し、背面金属板３１を符号４１の点線で示すが、図２３に示すように、感熱膨張ゴム３５が、感熱膨張ゴム膨出用開口３３を背面側から覆っており、且つ、背面金属板３１が、感熱膨張ゴム３５を背面側から覆っている。そのため、シリンダボア壁の保温具３６ｄでは、背面金属板３１が固定され、基体部材３４に固定された背面金属板３１と、基体部材３４ａの感熱膨張ゴム膨出用開口３３の周縁部４６とで、感熱膨張ゴム３５の外縁部４０が挟み込まれることにより、感熱膨張ゴム３５が基体部材３４ｂに固定されている。
【００６９】
感熱膨張ゴム３５は、膨張前は、ベースフォーム材が熱可塑性物質により圧縮されて拘束された状態であり、加熱されることにより、熱可塑性樹脂による拘束が解け、圧縮される前の状態、すなわち、開放状態まで膨張するゴム材である。感熱膨張ゴム３５は、基体部材３４ｂの背面側に配設され、感熱膨張ゴム膨出用開口３３を覆っている、この感熱膨張ゴム３５は、シリンダブロック１１の溝状冷却水流路１４に設置された後、加熱されることにより膨張し、加熱により膨張（感熱膨張）することにより、感熱膨張ゴム膨出用開口３３を通り抜けて、基体部材３４ｂの内側面より内側に膨出し、接触面２６が溝状冷却水流路１４のシリンダボア壁に接触するまで膨張する。そして、感熱膨張して、感熱膨張ゴム３５が、溝状冷却水流路１４のシリンダボア壁１７の壁面を覆うことにより、溝状冷却水流路１４のシリンダボア壁１７が保温される。感熱膨張ゴム３５は、その外縁部４０が、基体部材３４ｂの感熱膨張ゴム膨出用開口３３の周縁部４６と背面金属板３１とに挟み込まれることにより、基体部材３４ｂに固定される。また、感熱膨張ゴム３５が基体部材３４ｂに固定されることにより、溝状冷却水流路１４内での感熱膨張ゴム３５の位置が位置決めされる。
【００７０】
シリンダボア壁の保温具３６ｄでは、感熱膨張ゴム３５の背面側は、背面金属板３１で覆われている。そして、感熱膨張ゴム３５の背面側が、背面金属板３１で覆われていることにより、感熱膨張ゴム３５がシリンダボア壁の対壁１８に向けて膨張することが妨げられる。
【００７１】
シリンダボア壁の保温具３６ｄでは、基体部材３４ｂの背面側には、基体部材３４ｂの背面から突出し、シリンダボア壁の対壁１８に当接するための当接部材３０が付設されている。そして、シリンダボア壁の保温具３６ｄがシリンダブロック１１の溝状冷却水流路１４に設置され、感熱膨張ゴム３５が感熱膨張することにより、当接部材３０が、溝状冷却水流路のシリンダボア壁の対壁１８に当接する。そして、当接部材３０がシリンダボア壁の対壁１８に当接した状態で、つまり、感熱膨張ゴム３５の背面側の位置が固定された状態で、感熱膨張ゴム３５が更に膨張することで生じる弾性力により、感熱膨張ゴム３５の接触面２６が、溝状冷却水流路のシリンダボア壁１７に向かって押し付けられる。このことにより、感熱膨張ゴム３５の接触面２６が、溝状冷却水流路のシリンダボア壁１７に密着する。
【００７２】
シリンダボア壁の保温部３６ｄでは、基体部材３４ｂの上には、基体部材３４ｂから上に向けて、押え部材３９が立設されている。シリンダボア壁の保温部３６ｄが溝状冷却水流路１４内に設置されると、押え部材３９の上端が、シリンダヘッド又はシリンダヘッドガスケットに接する。このことにより、溝状冷却水流路１４内でのシリンダボア壁の保温部３６ｄの上下方向の移動が制限される。
【００７３】
シリンダボア壁の保温具３６ｄは、例えば、図１に示すシリンダブロック１１の溝状冷却水流路１４に設置される。図２５に示すように、シリンダボア壁の保温具３６ｄを、シリンダブロック１１の溝状冷却水流路１４に挿入して、図２６に示すように、シリンダボア壁の保温具３６ｄを、溝状冷却水流路１４内に設置する。シリンダボア壁の保温具３６ｄを、溝状冷却水流路１４に挿入するときには、未だ、感熱膨張ゴム３５は、膨張していないので、シリンダボア壁の保温具３６ｄの幅は、溝状冷却水流路１４の流路幅より小さい。そのため、シリンダボア壁の保温具３６ｄを、溝状冷却水流路１４内に挿入するときには、大きな抵抗なく、シリンダボア壁の保温具３６ｄを、溝状冷却水流路１４に設置することができる。
【００７４】
そして、シリンダボア壁の保温具３６ｄが、溝状冷却水流路１４に設置された後、加熱前は、図２７（Ａ）に示すように、シリンダボア壁の保温具３６ｄとシリンダボア壁１７の間には、隙間３０１が存在するが、図２７（Ｂ）に示すように、感熱膨張ゴムが加熱されると、感熱膨張ゴム３５は、シリンダボア壁１７に接触するまで膨張する。そして、感熱膨張ゴム３５が膨張することにより、シリンダボア壁の保温具３６ｄの背面側に付設されており、シリンダボア壁の対壁１８に向かって突出している当接部材３０が、背面金属板３１を介して、シリンダボア壁の対壁１８に押し付けられる。また、当接部材３０が、シリンダボア壁の対壁１８に当接することにより、感熱膨張ゴム３５の背面側の位置が固定されるので、感熱膨張ゴム３５自らが膨張することにより、弾性力が発生する。そして、この弾性力により、感熱膨張ゴム３５の接触面２６が、シリンダボア壁１７に向かって押し付けられる。
【００７５】
シリンダボア壁の保温具３６ｄは、例えば、図２４に示すように、感熱膨張ゴム膨出用開口３３が形成されている基体部材３４ｂと、感熱膨張ゴム膨出用開口３３を覆う形状に成形されている感熱膨張ゴム３５と、上側及び下側に折り曲げ部３７が形成され、右側及び左側に嵌合口３８が形成されている背面金属板３１と、を用意し、次いで、基体部材３４ｂに、感熱膨張ゴム３５及び背面金属板３１を順に重ね、次いで、背面金属板３１の嵌合口３８を、基体部材３４ｂの背面側に形成されている嵌合突起４４に嵌め合わせると共に、背面金属板３１の折り曲げ部３７を折り曲げて、背面金属板３１を基体部材３４ｂに固定することにより作製される。なお、本発明のシリンダボア壁の保温具は、上記に示す方法により製造されるものに限定されるものではない。
【００７６】
本発明の第二の形態のシリンダボア壁の保温具は、シリンダボアを有する内燃機関のシリンダブロックの溝状冷却水流路に設置され、全シリンダボアのボア壁の全部又は全シリンダボアのボア壁のうちの一部を保温するための保温具であり、
合成樹脂製であり、該保温具の設置位置の該溝状冷却水流路の形状に沿う形状を有し、シリンダボア壁の保温部位に対向する位置に、背面側に配設されている感熱膨張ゴムが、感熱膨張時に基体部材を通り抜けるための感熱膨張ゴム膨出用開口が形成されている基体部材と、
該基体部材の背面側に配設され、該感熱膨張ゴム膨出用開口を覆う感熱膨張ゴムと
該感熱膨張ゴムの背面側を覆い、該基体部材に固定され、該基体部材との間で、該感熱膨張ゴムの外縁部を挟み込むことにより、該感熱膨張ゴムを該基体部材に固定する背面金属板と、
を有し、
該基体部材の背面側には、該基体部材の背面から突出し、シリンダボア壁の対壁に当接するための当接部材が付設されていること、
を特徴とするシリンダボア壁の保温具である。
【００７７】
本発明の第二の形態のシリンダボア壁の保温具は、内燃機関のシリンダブロックの溝状冷却水流路に設置される。本発明の第二の形態のシリンダボア壁の保温具が設置されるシリンダブロックは、シリンダボアが直列に２つ以上並んで形成されているオープンデッキ型のシリンダブロックである。シリンダブロックが、シリンダボアが直列に２つ並んで形成されているオープンデッキ型のシリンダブロックの場合、シリンダブロックは、２つの端ボアからなるシリンダボアを有している。また、シリンダブロックが、シリンダボアが直列に３つ以上並んで形成されているオープンデッキ型のシリンダブロックの場合、シリンダブロックは、２つの端ボアと１つ以上の中間ボアとからなるシリンダボアを有している。なお、本発明では、直列に並んだシリンダボアのうち、両端のボアを端ボアと呼び、両側が他のシリンダボアで挟まれているボアを中間ボアと呼ぶ。
【００７８】
本発明の第二の形態のシリンダボア壁の保温具が設置される位置は、溝状冷却水流路である。内燃機関の多くでは、シリンダボアの溝状冷却水流路の中下部に相当する位置が、ピストンの速さが速くなる位置なので、この溝状冷却水流路の中下部を保温することが好ましい。図２では、溝状冷却水流路１４の最上部９と最下部８の中間近傍の位置１０を、点線で示しているが、この中間近傍の位置１０から下側の溝状冷却水流路１４の部分を、溝状冷却水流路の中下部と呼ぶ。なお、溝状冷却水流路の中下部とは、溝状冷却水流路の最上部と最下部の丁度中間の位置から下の部分という意味ではなく、最上部と最下部の中間位置の近傍から下の部分という意味である。また、内燃機関の構造によっては、ピストンの速さが速くなる位置が、シリンダボアの溝状冷却水流路の下部に当たる位置である場合もあり、その場合は、溝状冷却水流路の下部を保温することが好ましい。よって、溝状冷却水流路の最下部からどの位置までを本発明の第二の形態のシリンダボア壁の保温具で保温するか、つまり、ゴム部材の上端の位置を溝状冷却水流路の上下方向のどの位置にするかは、適宜選択される。
【００７９】
本発明の第二の形態のシリンダボア壁の保温具は、周方向に見たときに、溝状冷却水流路のシリンダボア側の壁面の全部又は溝状冷却水流路のシリンダボア側の壁面のうちの一部を保温するための保温具である。つまり、本発明の第二の形態のシリンダボア壁の保温具は、周方向に見たときに、全シリンダボアのボア壁の全部又は全シリンダボアのボア壁の一部を保温するための保温具である。本発明のシリンダボア壁の保温具のとしては、例えば、図１８に示す形態例のように、全シリンダボアのボア壁のうち片側半分を保温するための保温具、図２９に示す形態例のように、全シリンダボアのボア壁のうち片側の一部を保温するための保温具、図３０に示す形態例のように、全シリンダボアのボア壁の全部を保温するための保温具が挙げられる。なお、本発明において、片側半分又は片側の一部とは、シリンダボア壁又は溝状冷却水流路の周方向の片側半分又は片側の一部との意味である。
【００８０】
本発明の第二の形態のシリンダボア壁の保温具は、基体部材と、感熱膨張ゴムと、背面金属板と、を有する。
【００８１】
本発明の第二の形態のシリンダボア壁の保温具に係る基体部材は、合成樹脂製である。基体部材は、上から見たときに、２以上の円弧が連続する形状を有しており、感熱膨張ゴムにより保温する範囲に亘って、円弧が連続して繋がった形状を有している。つまり、基体部材は、本発明の第二の形態のシリンダボア壁の保温具が設置される溝状冷却水流路の形状に沿う形状に成形された合成樹脂の成形体である。
【００８２】
基体部材は、背面金属板が固定される部材であり、且つ、感熱膨張ゴムを基体部材に固定するために、感熱膨張ゴムの外縁部を、基体部材の感熱膨張ゴム膨出用開口の周縁部と背面金属板との間に挟み込む部材である。つまり、基体部材は、感熱膨張ゴムが固定される部材である。また、基体部材は、感熱膨張後に、感熱膨張ゴムの弾性力により、溝状冷却水流路内での基体部材の位置が固定されることにより、溝状冷却水流路内での感熱膨張ゴムの位置決めをする部材である。
【００８３】
基体部材には、基体部材の背面側に配設されている感熱膨張ゴムが、感熱膨張時に基体部材を通り抜けて、基体部材の内側面より内側に膨出し、感熱膨張ゴムの接触面が溝状冷却水流路のシリンダボア壁に接触することができるようにするための感熱膨張ゴム膨出用開口が、各ボア部毎に形成されている。そのため、保温対象となる各シリンダボアのボア壁のそれぞれに対向する位置に、感熱膨張ゴム膨出用開口が形成されている。なお、本発明において、各シリンダボアのボア壁とは、１つ１つのシリンダボアに対応する各ボア壁部分を指す。また、基体部材の各ボア部とは、各シリンダボアのボア壁１つ側の基体部材の部分のことであり、上から見たときの基体部材を形成する円弧形状の１つ分である。
【００８４】
基体部材を形成する合成樹脂は、通常、内燃機関のシリンダブロックの溝状冷却水流路内に設置されるシリンダボア壁の保温具やウォータージャケットスペーサに用いられる合成樹脂であれば、特に制限されず、適宜選択される。
【００８５】
本発明の第二の形態のシリンダボア壁の保温具では、基体部材の背面側には、基体部材の背面から突出し、シリンダボア壁の対壁に当接するための当接部材が付設されている。当接部材は、基体部材と共に一体成形されたものであってもよいし、あるいは、基体部材とは別に作製されたものであってもよい。つまり、基体部材を成形するときに、基体部材と当接部材を一体成形することにより、基体部材の背面側に当接部材を付設してもよいし、先に、基体部材を成形しておき、次いで、その基体部材に、別に作製した当接部材を固定することにより、基体部材の背面側に当接部材を付設してもよい。当接部材の材質は、特に制限されないが、当接部材が基体部材と一体成形されている場合は、当接部材の材質は、基体部材と同じ材質の合成樹脂であり、また、基体部材に、それとは別に作製された当接部材が固定されている場合は、当接部材の材質としては、合成樹脂、ステンレス鋼（ＳＵＳ）、アルミニウム合金等が挙げられる。
【００８６】
当接部材の付設位置は、適宜選択され、例えば、基体部材の各ボア部の上側の円弧方向に見たときの中央及びその近傍に亘る範囲と基体部材の各ボア部の下側の円弧方向に見たときの中央及びその近傍に亘る範囲、それらの位置に加え、更に、基体部材の各ボア部の上側の円弧方向に見たときの端側の近傍と基体部材の各ボア部の下側の円弧方向に見たときの端側の近傍が挙げられる。また、当接部材の付設数は、適宜選択される。
【００８７】
本発明の第二の形態のシリンダボア壁の保温具に係る感熱膨張ゴムは、溝状冷却水流路内で、接触面が溝状冷却水流路のシリンダボア壁に接触するまで感熱膨張して、シリンダボア壁を覆うことにより、シリンダボア壁を保温するための部材である。この感熱膨張ゴムは、感熱膨張ゴム膨出用開口を、基体部材の背面側から覆うことができる形状に成形され、外縁部が、基体部材の感熱膨張ゴム膨出用開口の周縁部と背面金属板との間に挟み込まれて、基体部材に固定されることにより、基体部材の感熱膨張ゴム膨出用開口を背面側から覆うように配設されている。そして、感熱膨張ゴムは、溝状冷却水流路内で、感熱膨張時に、感熱膨張ゴム膨出用開口を、基体部材の背面側から内側に通り抜け、更に、基体部材の内側面よりも内側に膨出して、溝状冷却水流路のシリンダボア壁に接触するまで膨張する。
【００８８】
感熱膨張ゴムは、膨張前は、ベースフォーム材が熱可塑性物質により圧縮されて拘束された状態であり、加熱されることにより、熱可塑性樹脂による拘束が解け、圧縮される前の状態、すなわち、開放状態まで膨張するゴム材である。感熱膨張ゴム（圧縮状態）は、ベースフォーム材にベースフォーム材より融点が低い熱可塑性物質を含浸させ圧縮した複合体であり、常温では少なくともその表層部に存在する熱可塑性物質の硬化物により圧縮状態が保持され、且つ、加熱により熱可塑性物質の硬化物が軟化して圧縮状態が開放される材料である。感熱膨張ゴムとしては、例えば、特開２００４−１４３２６２号公報に記載の感熱膨張ゴムが挙げられる。
【００８９】
感熱膨張ゴムに係るベースフォーム材としては、ゴム、エラストマー、熱可塑性樹脂、熱硬化性樹脂等の各種高分子材料が挙げられ、具体的には、天然ゴム、クロロプロピレンゴム、スチレンブタジエンゴム、ニトリルブタジエンゴム、エチレンプロピレンジエン三元共重合体、シリコーンゴム、フッ素ゴム、アクリルゴム等の各種合成ゴム、軟質ウレタン等の各種エラストマー、硬質ウレタン、フェノール樹脂、メラミン樹脂等の各種熱硬化性樹脂が挙げられる。
【００９０】
感熱膨張ゴムに係る熱可塑性物質としては、ガラス転移点、融点又は軟化温度のいずれかが１２０℃未満であるものが好ましい。感熱膨張ゴムに係る熱可塑性物質としては、ポリエチレン、ポリプロピレン、ポリスチレン、ポリ塩化ビニル、ポリ塩化ビニリデン、ポリ酢酸ビニル、ポリアクリル酸エステル、スチレンブタジエン共重合体、塩素化ポリエチレン、ポリフッ化ビニリデン、エチレン酢酸ビニル共重合体、エチレン酢酸ビニル塩化ビニルアクリル酸エステル共重合体、エチレン酢酸ビニルアクリル酸エステル共重合体、エチレン酢酸ビニル塩化ビニル共重合体、ナイロン、アクリロニトリルブタジエン共重合体、ポリアクリロニトリル、ポリ塩化ビニル、ポリクロロプレン、ポリブタジエン、熱可塑性ポリイミド、ポリアセタール、ポリフェニレンサルファイド、ポリカーボネート、熱可塑性ポリウレタン等の熱可塑性樹脂、低融点ガラスフリット、でんぷん、はんだ、ワックス、鋳鉄、ステンレス、アルミニウムなどの金属材料等の各種熱可塑性物質が挙げられる。
【００９１】
感熱膨張ゴムの厚みは、感熱膨張ゴムの膨張率、溝状冷却水流路の幅、基体部材の内側面とシリンダボア壁との距離、背面金属板の内側面とシリンダボア壁との距離等を考慮して、適宜選択される。
【００９２】
本発明の第二の形態のシリンダボア壁の保温具に係る背面金属板は、金属製であり、金属板の成形体である。背面金属板は、感熱膨張ゴムの背面側を覆っている。背面金属板の形状は、上から見たときに、弧状である。背面金属板は、基体部材の感熱膨張ゴム膨出用開口の周縁部とで、感熱膨張ゴムの外縁部を挟み込むことにより、感熱膨張ゴムを基体部材に固定する共に、感熱膨張ゴムが基体部材の背面側に膨張するのを妨げる部材である。
【００９３】
背面金属板を形成する金属は、通常、内燃機関のシリンダブロックの溝状冷却水流路内に設置されるシリンダボア壁の保温具やウォータージャケットスペーサに用いられる金属であれば、特に制限されず、適宜選択される。背面金属板の材質としては、例えば、ステンレス鋼（ＳＵＳ）、アルミニウム合金、軟鋼、硬鋼、合金鋼等が挙げられる。
【００９４】
背面金属板を基体部材に固定する方法としては、特に制限されず、例えば、背面金属板に折り曲げ部を形成させ、その折り曲げ部を折り曲げて、折り曲げた折り曲げ部と背面金属板との間で基体部材の端部を挟み込むことにより固定する方法や、背面金属板に嵌合口を形成させ、その嵌合口を基体部材に形成されている嵌合突起に嵌合させることにより固定する方法や、金具により固定する方法や、リベットにより固定する方法や、これらの方法の組み合わせ等が挙げられる。つまり、背面金属板は、背面金属板に形成されている固定用部位を介して、基体部材に固定されている。
【００９５】
本発明の第二の形態のシリンダボア壁の保温具がシリンダブロックの溝状冷却水流路に設置された後、感熱膨張ゴムが感熱膨張することにより、当接部材が、溝状冷却水流路のシリンダボア壁の対壁に当接する。そして、当接部材がシリンダボア壁の対壁に当接した状態で、つまり、感熱膨張ゴムの背面側の位置が固定された状態で、感熱膨張ゴムが更に膨張することで生じる弾性力により、感熱膨張ゴムの接触面が、溝状冷却水流路のシリンダボア壁に向かって押し付けられる。このことにより、感熱膨張ゴムの接触面が、溝状冷却水流路のシリンダボア壁に密着して、溝状冷却水流路のシリンダボア壁を覆い、シリンダボア壁が保温される。
【００９６】
本発明の第二の形態のシリンダボア壁の保温部は、基体部材の上に、基体部材から上に向けて立設される押え部材を有することができる。押え部材は、本発明の第二の形態のシリンダボア壁の保温部が溝状冷却水流路内に設置されたときに、上端が、シリンダヘッド又はシリンダヘッドガスケットに接することにより、溝状冷却水流路内での本発明のシリンダボア壁の保温部の上下方向の移動を制限する部材である。
【００９７】
本発明の第二の形態のシリンダボア壁の保温具を、溝状冷却水流路に設置するために挿入するときには、未だ、感熱膨張ゴムは、膨張していないので、本発明のシリンダボア壁の保温具の幅は、溝状冷却水流路の流路幅より小さい。そのため、本発明の第二の形態のシリンダボア壁の保温具を、溝状冷却水流路内に挿入するときには、大きな抵抗なく、本発明の第二の形態のシリンダボア壁の保温具を、溝状冷却水流路内に設置することができる。
【００９８】
本発明の第二の形態のシリンダボア壁の保温具は、図１８に示す形態例のように、一端側に、冷却水流れ仕切り部材を有することができる。また、本発明の第二の形態のシリンダボア壁の保温具は、その他の冷却水の流れを調節するための部材等を有することもできる。
【００９９】
図１８に示すシリンダボア壁の保温具３６ｄは、図４に示すシリンダブロック１１の全シリンダボア壁のうちの片側半分のボア壁の保温用の保温具であるが、本発明の第一の形態のシリンダボア壁の保温具としては、図２９に示す形態例のように、全シリンダボア壁のうちの片側の一部のボア壁の保温用の保温具が挙げられる。図２９に示すシリンダボア壁の保温具３６ｅは、図４に示すシリンダブロック１１の片側半分のボア壁２１ａのうちの一部、すなわち、シリンダボア１２ｂ１と１２ｂ２のボア壁の保温用の保温具である。なお、図２９は、本発明の第二の形態のシリンダボア壁の保温具の形態例の模式的な斜視図であり、図２９（Ａ）は内側斜め上から見た斜視図であり、図２９（Ｂ）は背面側斜め上から見た斜視図である。また、本発明の第二の形態のシリンダボア壁の保温具としては、図３０に示す形態例のように、全シリンダボアのボア壁の全部の保温用の保温具が挙げられる。図３０に示すシリンダボア壁の保温具３６ｆは、図４に示すシリンダブロック１１の全シリンダボアのボア壁の全部の保温用の保温具である。つまり、本発明の第一の形態のシリンダボア壁の保温具は、シリンダブロックの全シリンダボアのボア壁の全部の保温用の保温具であってもよいし、シリンダブロックの全シリンダボアのボア壁のうちの一部、例えば、片側半分や片側の一部の保温用の保温具であってもよい。なお、図３０は、本発明の第二の形態のシリンダボア壁の保温具の形態例の模式的な斜視図である。
【０１００】
本発明の内燃機関は、溝状冷却水流路が形成されているシリンダブロックを有し、
該溝状冷却水流路内に、本発明のシリンダボア壁の保温具（本発明の第一の形態のシリンダボア壁の保温具又は本発明の第二の形態のシリンダボア壁の保温具）が設置されていること、
を特徴とする内燃機関である。
【０１０１】
本発明の内燃機関に係るシリンダブロックは、本発明のシリンダボア壁の保温具に係るシリンダブロックと同様である。
【０１０２】
本発明の内燃機関は、シリンダブロック及びその溝状冷却水流路内に設置されている本発明のシリンダボア壁の保温具の他に、シリンダヘッド、カムシャフト、バルブ、ピストン、コンロッド、クランクシャフトを有する。
【０１０３】
本発明の自動車は、本発明の内燃機関を有することを特徴とする自動車である。
【産業上の利用可能性】
【０１０４】
本発明によれば、シリンダブロックの溝状冷却水流路のシリンダボア側の壁面への密着性が高く、溝状冷却水流路内で位置ずれを起こし難いシリンダボア壁の保温具を提供できる。
【符号の説明】
【０１０５】
８                最下部
９                最上部
１０              中間近傍の位置
１１、１１ａ、１１ｂ  シリンダブロック
１２              ボア
１２ａ１、１２ａ２  端ボア
１２ｂ１、１２ｂ２  中間ボア
１３              シリンダボア壁
１４              溝状冷却水流路
１５              冷却水供給口
１６              冷却水排出口
１７              シリンダボア壁
１７ａ、１７ｂ    片側半分側の壁面
１８              シリンダボア壁の対壁
２１ａ、２１ｂ    片側半分のボア壁
２３ａ１、２３ａ２、２３ｂ１、２３ｂ２  各シリンダボアのボア壁
２６              感熱膨張ゴムの接触面
３０              当接部材
３１              背面金属板
３２              付勢部材
３３              感熱膨張ゴム膨出用開口
３４ａ、３４ｂ    基体部材
３５              感熱膨張ゴム
３６ａ、３６ｂ、３６ｃ、３６ｄ、３６ｅ、３６ｆ  シリンダボア壁の保温具
３７              折り曲げ部
３８              嵌合口
３９              押え部材
４０              感熱膨張ゴムの外縁部
４１              背面金属板の輪郭
４２              感熱膨張ゴムの輪郭
４４              嵌合突起
４５              冷却水流れ仕切部材
４６              感熱膨張ゴム膨出用開口の周縁部
１９１            ボア間部
１９２            溝状冷却水流路のシリンダボア側の壁面の各シリンダボアのボア壁の境界
Ｏ                シリンダボアの中心軸
【図１】
2018084145.tif 000003
【図２】
2018084145.tif 000004
【図３】
2018084145.tif 000005
【図４】
2018084145.tif 000006
【図５】
2018084145.tif 000007
【図６】
2018084145.tif 000008
【図７】
2018084145.tif 000009
【図８】
2018084145.tif 000010
【図９】
2018084145.tif 000011
【図１０】
2018084145.tif 000012
【図１１】
2018084145.tif 000013
【図１２】
2018084145.tif 000014
【図１３】
2018084145.tif 000015
【図１４】
2018084145.tif 000016
【図１５】
2018084145.tif 000017
【図１６】
2018084145.tif 000018
【図１７】
2018084145.tif 000019
【図１８】
2018084145.tif 000020
【図１９】
2018084145.tif 000021
【図２０】
2018084145.tif 000022
【図２１】
2018084145.tif 000023
【図２２】
2018084145.tif 000024
【図２３】
2018084145.tif 000025
【図２４】
2018084145.tif 000026
【図２５】
2018084145.tif 000027
【図２６】
2018084145.tif 000028
【図２７】
2018084145.tif 000029
【図２８】
2018084145.tif 000030
【図２９】
2018084145.tif 000031
【図３０】
2018084145.tif 000032